(57)【要約】【課題】  電池監視装置と単電池とを接続するための配線手段の配線にかかる作業負担を軽減することのできる電池モジュールを提供する。【解決手段】複数の単電池を収容するモジュールケースと、単電池の電気的な監視を行う電池監視装置と、単電池の出力端子に電気的に接続された複数の配線手段とを備え、モジュールケースは、単電池を支持するケース本体と、単電池を覆う蓋体とを備え、電池監視装置が雄雌一対のコネクタを介して複数の配線手段と電気的に接続され、電池監視装置に雌側コネクタが電気的に接続され、蓋体に雄側コネクタのコネクタソケットが取り付けられ、コネクタソケット内の所定位置と各単電池の出力端子に対する接続位置とを結ぶ複数の配線経路が設定され、各配線手段は対応する配線経路に沿って配置され、コネクタソケット内に導入された各配線手段の端部が雄側コネクタのコネクタピンを構成している。【選択図】図１
2012174507.tif 000002
【特許請求の範囲】
【請求項１】
複数の単電池と、該複数の単電池を収容するモジュールケースと、前記複数の単電池の電気的な監視を行う電池監視装置と、前記複数の単電池の出力端子に電気的に接続される複数の配線手段とを備え、前記モジュールケースは、前記複数の単電池を支持するケース本体と、前記複数の単電池を覆う蓋体とを備え、前記電池監視装置が雄雌一対のコネクタを介して前記複数の配線手段と電気的に接続された電池モジュールにおいて、前記電池監視装置に前記雄雌一対のコネクタのうちの雌側コネクタが電気的に接続され、前記蓋体に前記雄雌一対のコネクタのうちの雄側コネクタのコネクタソケットが取り付けられるとともに、前記コネクタソケット内の所定位置と各単電池の出力端子に対する接続位置とを結ぶ複数の配線経路が設定され、各配線手段は対応する配線経路に沿って配置され、前記コネクタソケット内に導入された各配線手段の端部が雄側コネクタのコネクタピンを構成していることを特徴とする電池モジュール。
【請求項２】
複数の単電池と、該複数の単電池を収容するモジュールケースと、単電池の出力端子同士を接続する接続手段と、単電池の電気的な監視を行う電池監視装置と、前記接続手段と前記電池監視装置とを電気的に接続する配線手段とを備えた電池モジュールにおいて、
前記配線手段の端部は弾性構造を有し、前記弾性構造が前記接続手段に圧接して電気的に接続されていることを特徴とする電池モジュール。
【請求項３】
各配線経路は、蓋体の上面に形成された溝で構成され、各配線手段は、対応する配線経路の形態に即した形状に形成され、各配線手段が各溝に嵌め込まれている請求項１に記載の電池モジュール。
【発明の詳細な説明】
【技術分野】
【０００１】
本発明は、複数の単電池がモジュールケースに収容された電池モジュールに関し、より詳しくは、モジュールケースに収容された複数の単電池と該複数の単電池の電気的な監視を行う電池監視装置とが複数の配線手段を介して電気的に接続された電池モジュールに関する。
【背景技術】
【０００２】
従来から、各種機器の電源として、電池モジュールが提供されている。かかる電池モジュールは、複数の単電池と、該複数の単電池を収容するモジュールケースと、前記複数の単電池の電気的な監視を行う電池監視装置と、前記複数の単電池の出力端子と電池監視装置とを電気的に接続する複数の配線手段とを備えており、複数の単電池が電気的に接続されて組電池を構成している。
【０００３】
前記モジュールケースは、複数の単電池を支持するケース本体と、ケース本体に支持された前記複数の単電池を覆う蓋体とを備えている。前記ケース本体は、一般的に一面（例えば、上面）が開放した箱状をなし、開放部分から複数の単電池を収容できるように構成されている。そして、前記蓋体は、ケース本体に収容された複数の単電池の出力端子（出力端子同士を電気的に接続した接続手段）の配置に合わせて複数の開口部が形成されており、複数の単電池を覆った状態でケース本体に連結可能に構成されている。これにより、前記モジュールケースは、ケース本体に支持された複数の単電池を蓋体で覆うことで、蓋体に形成された開口部のそれぞれから、単電池の出力端子（出力端子同士を電気的に接続した接続手段）が露出するようになっている。
【０００４】
各配線手段は、例えば、リード線で構成され、一端側が電池監視装置に電気的に接続され、他端側が蓋体の各開口部から露出する出力端子（接続手段）に接続されている。より具体的には、この種の電池モジュールは、電池監視装置の交換等を考慮して電池監視手段と複数の配線手段との接続に雄雌一対のコネクタが用いられている。すなわち、この種の電池モジュールは、電池監視装置に対して雄雌一対のコネクタのうちの何れか一方のコネクタが接続されるとともに、雄雌一対のコネクタのうちの何れか他方のコネクタに各配線手段の一端が接続され、雄雌一対のコネクタを接続することで電池監視手段と複数の配線手段とが電気的に接続されている。また、各配線手段は、他端部に丸端子等の接続用端子が取り付けられ、対応する出力端子（接続手段）に対して接続用端子がネジ止めされることで電気的に接続されている。これにより、該電池モジュールは、配線手段を介して電池監視手段と単電池とが電気的に接続された状態になっている。
【０００５】
そして、この種の電池モジュールは、単電池からの電気的な情報（例えば、電圧）を電池監視手段が取得して複数の単電池の監視（例えば、充電状態や電圧等の監視）を行うようになっている（例えば、特許文献１参照）。
【先行技術文献】
【特許文献】
【０００６】
【特許文献１】特開２００１−２６６８２５号公報
【発明の概要】
【発明が解決しようとする課題】
【０００７】
ところで、上記構成の電池モジュールは、複数の配線手段を備えているため、組み立てや部品の交換等を行う際に、コネクタや接続手段等の接続対象に対する配線手段の接続作業を複数回に亘って行う必要がある。そのため、この種の電池モジュールは、配線手段の配線作業が煩雑で大きな作業負担となっており、その煩雑さゆえに誤配線する虞がある。
【０００８】
そこで、本発明は、電池監視装置と単電池とを接続するための配線手段の配線にかかる作業負担を軽減し、誤配線を防ぐことのできる電池モジュールを提供することを課題とする。
【課題を解決するための手段】
【０００９】
本発明に係る電池モジュールは、複数の単電池と、該複数の単電池を収容するモジュールケースと、前記複数の単電池の電気的な監視を行う電池監視装置と、前記複数の単電池の出力端子に電気的に接続される複数の配線手段とを備え、前記モジュールケースは、前記複数の単電池を支持するケース本体と、前記複数の単電池を覆う蓋体とを備え、前記電池監視装置が雄雌一対のコネクタを介して前記複数の配線手段と電気的に接続された電池モジュールにおいて、前記電池監視装置に前記雄雌一対のコネクタのうちの雌側コネクタが電気的に接続され、前記蓋体に前記雄雌一対のコネクタのうちの雄側コネクタのコネクタソケットが取り付けられるとともに、前記コネクタソケット内の所定位置と各単電池の出力端子に対する接続位置とを結ぶ複数の配線経路が設定され、各配線手段は対応する配線経路に沿って配置され、前記コネクタソケット内に導入された各配線手段の端部が雄側コネクタのコネクタピンを構成していることを特徴とする。なお、「単電池の出力端子に対する接続位置」とは、単電池の出力端子の他、単電池の出力端子同士を接続した接続手段に対する接続位置を含む概念である。
【００１０】
かかる電池モジュールによれば、前記電池監視装置に前記雄雌一対のコネクタのうちの雌側コネクタが電気的に接続され、前記蓋体に前記雄雌一対のコネクタのうちの雄側コネクタのコネクタソケットが取り付けられるとともに、前記コネクタソケット内の所定位置と各単電池の出力端子とを結ぶ複数の配線経路が設定され、各配線手段は対応する配線経路に沿って配置されているため、各配線手段が接続すべき単電池の出力端子に対する接続位置と雄側コネクタを構成するコネクタソケット内の所定位置（雌側コネクタに設けられた複数の接点のうちの接続すべき接点の配置に対応した位置）とに跨った状態で配置される。従って、上記構成の電池モジュールは、各配線手段が誤配線されることなく適正な配置とされる。
【００１１】
また、上記構成の電池モジュールは、コネクタソケット内に導入された各配線手段の端部が雄側コネクタのコネクタピンを構成しているため、各配線手段を配線経路に沿って配置するだけで、各配線手段を電池監視装置に取り付けられた雌側コネクタに対して電気的に接続できる状態となる。従って、上記構成の電池モジュールは、雄雌一対のコネクタを接続することで、複数の配線手段と電池監視装置とを電気的に接続した状態にすることができ、また、雄雌一対のコネクタの接続を解除することで、電池監視装置の交換や修理等を行うことができる。
【００１２】
このように、上記構成の電池モジュールは、コネクタに設けられた複数のピン又は接点の配置を確認しつつ各配線手段を個別に接続するといった作業を行う必要がないため、配線手段の配線にかかる作業負担を軽減することができる。
【００１３】
この場合、各配線経路は、蓋体の上面に形成された溝で構成され、各配線手段は、対応する配線経路の形態に即した形状に形成され、各配線手段が各溝に嵌め込まれていることが好ましい。このようにすれば、配線手段を形態の対応した配線経路にしか配置できないため、各配線手段をコネクタソケット内の配置されるべき所定位置（接続すべき雌側コネクタの接点と対応した位置）と接続すべき単電池の出力端子に対する接続位置とに跨った状態で確実に配置することができる。従って、各配線手段が接続の対象ではない位置に配置されてしまうことがないため、誤接続を確実に防止することができる。
【００１４】
本発明に係る電池モジュールは、複数の単電池と、該複数の単電池を収容するモジュールケースと、単電池の出力端子同士を接続する接続手段と、単電池の電気的な監視を行う電池監視装置と、前記接続手段と前記電池監視装置とを電気的に接続する配線手段とを備えた電池モジュールにおいて、前記配線手段の端部は弾性構造を有し、前記弾性構造が前記接続手段に圧接して電気的に接続されていることを特徴とする。
【００１５】
上記構成の電池モジュールによれば、前記配線手段の端部は弾性構造を有し、前記弾性構造が前記接続手段に圧接して電気的に接続されているため、配線手段に対して丸端子等の接続端子を取り付けてネジ止め等を行うことなく各配線手段を接続手段に対して電気的に接続することができ、配線手段の配線作業にかかる負担を軽減することができる。
【発明の効果】
【００１６】
以上のように、本発明の電池モジュールによれば、電池監視装置と単電池とを接続するための配線手段の配線にかかる作業負担を軽減し、誤配線を防ぐことができるという優れた効果を奏し得る。
【図面の簡単な説明】
【００１７】
【図１】本発明の第一実施形態に係る電池モジュールの分解斜視図を示す。
【図２】第一実施形態に係る電池モジュールが備えるモジュールケースを構成する蓋体の全体斜視図を示す。
【図３】第一実施形態に係る電池モジュールが備える複数の配線手段の全体斜視図を示す。
【図４】第一実施形態に係る電池モジュールの組み立て作業を説明するための斜視図であって、（ａ）は、モジュールケース内に複数の単電池を収容した状態を示し、（ｂ）は、モジュールケース（蓋体）に複数の配線手段を配置した状態を示す。
【図５】第一実施形態に係る電池モジュールの全体斜視図を示す。
【図６】本発明の第二実施形態に係る電池モジュールの分解斜視図を示す。
【図７】第二実施形態に係る電池モジュールが備えるモジュールケースを構成する蓋体の全体斜視図を示す。
【図８】第二実施形態に係る電池モジュールが備える複数の配線手段の全体斜視図を示す。
【図９】第二実施形態に係る電池モジュールの部分拡大図であって、（ａ）は、蓋体の配線経路（溝）に配線手段を配置した状態における配線手段近傍の部分断面図を示し、（ｂ）は、単電池の出力端子同士を接続した接続手段及び該接続手段に圧接した弾性構造を含む部分拡大側面図を示す。
【図１０】第二実施形態に係る電池モジュールの組み立て作業を説明するための斜視図であって、（ａ）は、モジュールケース内に複数の単電池を収容した状態を示し、（ｂ）は、モジュールケース（蓋体）に複数の配線手段を配置した状態を示す。
【図１１】第二実施形態に係る電池モジュールの全体斜視図を示す。
【発明を実施するための形態】
【００１８】
以下、本発明の第一実施形態に係る電池モジュールについて、添付図面を参照しつつ説明する。
【００１９】
本実施形態に係る電池モジュールは、図１に示す如く、複数の単電池２と、複数の単電池２の出力端子２１ａ，２１ｂ同士を電気的に接続する接続手段３と、前記複数の単電池２を収容するモジュールケース４と、前記複数の単電池２の電気的な監視を行う電池監視装置５と、前記複数の単電池２の出力端子２１ａ，２１ｂに電気的に接続される複数の配線手段６ａ，６ｂとを備えている。
【００２０】
各単電池２は、発電要素（図示しない）を収容した電池ケース２０と、電池ケース２０の外部に配置された一対の出力端子（正極用の出力端子及び負極用の出力端子）２１ａ，２１ｂとを備えている。本実施形態に係る単電池２は、前記電池ケース２０が六面体状（角箱状）に形成されており、該電池ケース２０の外面を構成する六面のうちの一面を上面にしてモジュールケース４内に収容される。
【００２１】
これに伴い、一対の出力端子２１ａ，２１ｂは、電池ケース２０の上面上に所定の間隔をあけて配置されている。各出力端子２１ａ，２１ｂは、棒状に形成されており、電池ケース２０の平面状の上面に対して直角又は略直角をなすように該上面に延設されている。そして、各出力端子２１ａ，２１ｂは、外周に雄ネジが形成されてナットＮが螺合可能になっている。そして、各出力端子２１ａ，２１ｂは、電池ケース２０内に収容された発電要素に対して電気的に接続されており、発電要素から供給される電力を出力できるようになっている。
【００２２】
そして、本実施形態に係る電池モジュール１は、前記複数の単電池２が一列に整列状態で配置されている。より具体的に説明すると、複数の単電池２は、それぞれの出力端子２１ａ，２１ｂが二列で整列し、且つ各列において正極用の出力端子２１ａと負極用の出力端子２１ｂとが交互に並ぶように配置されている。本実施形態に係る電池モジュール１は、整列方向の先頭にある単電池２の一方の出力端子２１ａと整列方向の最後尾にある単電池２の他方の出力端子２１ｂとを除き、隣り合う単電池２の異なる極性の出力端子２１ａ，２１ｂ同士が接続手段３を介して電気的に接続されている。これにより、電池モジュール１は、複数の単電池２が直列接続されて組電池を構成し、整列方向の先頭にある単電池２の一方の出力端子２１ａと整列方向の最後尾にある単電池２の他方の出力端子２１ｂとが組電池の出力端子（正極用の出力端子Ａ、負極用の出力端子Ｂ）を構成している。
【００２３】
前記接続手段３は、隣り合う単電池２の出力端子２１ａ，２１ｂ（極性の異なる出力端子２１ａ，２１ｂ）同士を電気的に接続するもので、導電材料で構成されている。本実施形態にかかる接続手段３は、金属プレートで構成されている。本実施形態に係る接続手段３には、前記出力端子２１ａ，２１ｂを挿通可能な孔径に設定された一対の貫通孔（採番しない）が穿設されている。一対の貫通孔は、隣り合う単電池２の出力端子２１ａ，２１ｂ（同列にある極性の異なる出力端子２１ａ，２１ｂ）の配置に対応した間隔をあけて配置されている。
【００２４】
前記モジュールケース４は、前記複数の単電池２を支持するケース本体４０と、該ケース本体４０に支持された複数の単電池２を覆う蓋体４１とを備えている。
【００２５】
前記ケース本体４０は、一面（例えば、上面）を開放させた箱状に形成されている。すなわち、ケース本体４０は、底板４００と、底板４００の外周から起立した周壁４０１とで構成されている。本実施形態に係るケース本体４０は、底板４００が平面視四角形状に形成されている。これに伴い、前記周壁４０１は、底板４００の外周を構成する四辺のそれぞれから上方に向けて延出した平板状の壁部４０１ａ，４０１ｂ，４０１ｃ，４０１ｄを備えており、隣り合う壁部４０１ａ，４０１ｂ，４０１ｃ，４０１ｄ同士が連結されることで形成されている。これにより、ケース本体４０は、上端に開口部４０２が形成され、該開口部４０２から前記複数の単電池２を収容可能に構成されている。なお、該ケース本体４０は、収容した単電池２の充放電に伴って発生する熱を外部に排出すべく、周壁４０１（壁部４０１ａ，４０１ｂ，４０１ｃ，４０１ｄ）上に内外を連通させる開口を形成してもよい。
【００２６】
前記蓋体４１は、ケース本体４０に収容した複数の単電池２を覆った状態（ケース本体４０の開口部４０２を閉じた状態）で、ケース本体４０に連結できるようになっている。すなわち、モジュールケース４は、蓋体４１とケース本体４０とが連結することで形成される。なお、ケース本体４０と蓋体４１との連結は、例えば、ケース本体４０の周壁４０１の上端部（内周面及び外周面の少なくとも何れか一方）に係止用の爪又は凹部の何れか一方を設け、相手方である蓋体４１の下端部（例えば、後述する起立壁部４１１の下端部）に対してケース本体４０の係止用の爪又は凹部の何れか一方と係合可能な係止用の凹部又は爪を設け、何れか一方の係止用の凹部に対して何れか他方の係止用の爪を係合すればよい。
【００２７】
本実施形態に係る蓋体４１は、図２に示す如く、ケース本体４０の開口部４０２と対応して四角形状に形成された天板部４１０と、該天板部４１０の外周から上方に向けて延出した起立壁部４１１とで構成されている。前記天板部４１０は、ケース本体４０内に収容した複数の単電池２の出力端子２１ａ，２１ｂを露出させる開口部４０３，４０４が形成されている。
【００２８】
より具体的に説明すると、本実施形態に係る電池モジュール１は、整列配置された複数の単電池２の電流の流れ方向の最上流の出力端子２１ａ（組電池の正極用の出力端子Ａ）と、複数の単電池２の電流の流れ方向の最下流の出力端子２１ｂ（組電池の負極用の出力端子Ｂ）とを除き、隣り合う単電池２の出力端子２１ａ，２１ｂ同士が接続手段３で電気的に接続されるため、本実施形態に係る蓋体４１は、前記開口部４０３，４０４として、各接続手段３と対応する複数の開口部（以下、接続手段露出部という）４０３と、整列状態にある複数の単電池２の電流の流れ方向の最上流及び最下流の出力端子２１ａ，２１ｂ（組電池の出力端子Ａ，Ｂ）と対応する一対の開口部（以下、端子露出部という）４０４とが形成されている。
【００２９】
これにより、本実施形態に係る電池モジュール１は、ケース本体４０に収容した複数の単電池２を蓋体４１で覆った（ケース本体４０に蓋体４１を連結した状態）状態で、各接続手段露出部４０３から接続手段３と該接続手段３によって電気的に接続された出力端子２１ａ，２１ｂが露出するとともに、各端子露出部４０４から組電池の出力端子Ａ，Ｂが露出するようになっている。
【００３０】
そして、本実施形態に係る電池モジュール１は、複数の単電池２に接続された複数の配線手段６ａ，６ｂと電池監視装置５とを雄雌一対のコネクタ７，８を介して電気的に接続するようになっている（図１及び図５参照）。
【００３１】
これに伴い、本実施形態に係る電池モジュール１は、蓋体４１に前記雄雌一対のコネクタ７，８のうちの雄側コネクタ７のコネクタソケット７０が取り付けられている。本実施形態において、前記コネクタソケット７０は、蓋体４１の天板部４１０の上面に設けられている。該コネクタソケット７０は、天板部４１０上で所定領域（雄側コネクタ７のコネクタピンが配置される領域）を取り囲むように形成されている。
【００３２】
より具体的に説明すると、コネクタソケット７０は、配線手段６ａ，６ｂを天板部４１０上で雄側コネクタ７のコネクタピンの配置される領域（以下、ピン配置領域という）ＰＡと外側領域とに跨った状態で配置可能とすべく、一部を開放させた状態で形成されている。すなわち、コネクタソケット７０は、ピン配置領域ＰＡを取り囲むように天板部４１０上に立設されており、周方向の両端間にピン配置領域ＰＡと外側領域とを連通させた開放部７２を形成している。
【００３３】
そして、蓋体４１は、前記コネクタソケット７０内の所定位置と各単電池２の出力端子２１ａ，２１ｂに対する接続位置とを結ぶ複数の配線経路４１２ａ，４１２ｂが設定されている。すなわち、蓋体４１は、雄側コネクタ７のコネクタピンが挿入される雌側コネクタ８に設けられた図示しない孔に対応した位置であって、雌側コネクタ８の接点に配線手段６ａ，６ｂが接続されるべき位置と、前記出力端子２１ａ，２１ｂに対して直接的又は間接的に接続できる位置とを結んでそれぞれ独立した複数の配線経路４１２ａ，４１２ｂが設定されている。
【００３４】
より具体的に説明すると、本実施形態に係る蓋体４１は、天板部４１０に形成された端子露出部４０４からコネクタソケット７０内の所定位置（雄側コネクタ７のコネクタピン７１が挿入される雌側コネクタ８に設けられた図示しない孔に対応した位置であって、雌側コネクタ８の接点に配線手段６ａ，６ｂが接続されるべき位置）に延びる二つの第一配線経路（配線経路）４１２ａと、天板部４１０に形成された接続手段露出部４０３からコネクタソケット７０内の所定位置（雄側コネクタ７のコネクタピン７１が挿入される雌側コネクタ８に設けられた図示しない孔に対応した位置であって、雌側コネクタ８の接点に配線手段６ａ，６ｂが接続されるべき位置）に延びる複数の第二配線経路（配線経路）４１２ｂとが設定されている。そして、本実施形態に係る電池モジュール１は、各配線経路４１２ａ，４１２ｂが蓋体４１の天板部４１０の上面に形成された溝で構成されている。
【００３５】
前記起立壁部４１１は、天板部４１０の外周に立設されている。本実施形態に係る起立壁部４１１は、各端子露出部４０４と隣接する部分が切り掛かれている。これにより、同種の電池モジュール１を横並びに配置したときに、隣り合う電池モジュール１（組電池）の出力端子２１ａ，２１ｂ同士を前記接続手段３で接続できるようになっている。すなわち、起立壁部４１１は、隣り合う電池モジュール１（組電池）の出力端子２１ａ，２１ｂ同士を接続手段３で接続したときに該接続手段３が干渉するのを防止できるように部分的に切り掛かれた状態で形成されている。
【００３６】
図１に戻り、前記電池監視装置５は、単電池２の出力端子２１ａ，２１ｂ間の電圧を基に充電状態を監視可能に構成された制御回路基板であり、本実施形態において雌側コネクタ８が取り付けられている。本実施形態に係る電池監視装置５は、単電池２の出力端子２１ａ，２１ｂ間に配置可能なサイズに設定されている。
【００３７】
複数の配線手段６ａ，６ｂのそれぞれは、複数の単電池２の出力端子２１ａ，２１ｂに電気的に接続されている（図５参照）。本実施形態において、各配線手段６ａ，６ｂは、蓋体４１の天板部４１０上に設定された配線経路４１２ａ，４１２ｂに沿って配置され、前記コネクタソケット７０内に導入された端部が雄側コネクタ７のコネクタピン７１を構成している（図４（ｂ）参照）。
【００３８】
より具体的に説明すると、本実施形態に係る電池モジュール１は、上述の如く、整列方向の先頭にある単電池２の一方の出力端子２１ａと整列方向の最後尾にある単電池２の他方の出力端子２１ｂとが組電池の正極用及び負極用の出力端子Ａ，Ｂを構成し、隣り合う単電池２の異なる極性の出力端子２１ａ，２１ｂ同士が接続手段３を介して電気的に接続されているため、配線手段６ａ，６ｂとして、コネクタソケット７０の所定位置から組み電池の出力端子Ａ，Ｂにまで延びる一対の第一配線手段６ａと、コネクタソケット７０の所定位置から各接続手段３にまで延びる複数の第二配線手段６ｂとを備えている。
【００３９】
前記第一配線手段６ａ及び第二配線手段６ｂは、対応する配線経路（第一配線経路４１２ａ、第二配線経路４１２ｂ）の形態に即した形状に形成され、配線経路（第一配線経路４１２ａ，第二配線経路４１２ｂ）を構成する各溝に嵌め込まれている（図５参照）。
【００４０】
前記第一配線手段６ａ及び第二配線手段６ｂは、導電性の高いアルミや銅等の金属材料で構成されている。本実施形態において、第一配線手段６ａ及び第二配線手段６ｂは、金属プレートを対応する配線経路４１２ａ，４１２ｂの平面形状に即して打ち抜くことで形成されており、図３に示す如く、その一端部（コネクタソケット７０内に導入される端部）が折り曲げられている。これにより、第一配線手段６ａ及び第二配線手段６ｂは、対応する第一配線経路４１２ａ及び第二配線経路４１２ｂ（溝）内に配置した状態（上方から溝４１２ａ，４１２ｂに嵌め込んだ状態）で、コネクタソケット７０内（ピン配置領域ＰＡ）と外部領域とに跨って状態になり、また、コネクタソケット７０内の端部が天板部４１０の上面から起立し、雄側コネクタ７のコネクタピン７１を構成するようになっている。
【００４１】
そして、第一配線手段６ａは、第一配線経路４１２ａ内に配置された上で、他端部が端子露出部４０４から露出した組電池の出力端子Ａ，Ｂに接続される。これに伴い、第一配線手段６ａの他端部には、組電池の出力端子Ａ，Ｂに接続可能（外嵌可能）な端子（図においては丸端子）６０ａが取り付けられている。
【００４２】
これに対し、第二配線手段６ｂは、第二配線経路４１２ｂ内に配置された上で、他端部が接続手段露出部４０３から露出した接続手段３に接続される。これに伴い、第二配線手段６ｂの他端部には、対象物に接続可能（ネジ止め可能）な端子（図においては丸端子）６０ｂが取り付けられている。そして、該第二配線手段６ｂは、他端部（端子）６０ｂが接続手段３に対して螺着されるようになっている。
【００４３】
本実施形態に係る電池モジュール１は、以上の通りであり、続いて、上記構成の電池モジュール１の組み立てについて説明すると、ケース本体４０内に複数の単電池２を収容し、該複数の単電池２の出力端子２１ａ，２１ｂ同士を接続手段３によって電気的に接続する。そして、図４（ａ）に示す如く、ケース本体４０の開口部４０２を蓋体４１で塞ぎ、蓋体４１をケース本体４０に連結する。この状態で、ケース本体４０内の単電池２が蓋体４１に覆われ、接続手段３が接続手段露出部４０３から露出するとともに、組電池の出力端子Ａ，Ｂが端子露出部４０４から露出した状態になる。
【００４４】
そして、図４（ｂ）に示す如く、各第一配線手段６ａを各第一配線経路（溝）４１２ａ内に配置するとともに、各第二配線手段６ｂを各第二配線経路（溝）４１２ｂ内に配置する。そして、第一配線手段６ａを第一配線経路４１２ａ内に固定するとともに、第二配線手段６ｂを第二配線経路４１２ｂ内に固定する。本実施形態において、上述の如く、第一配線経路４１２ａ及び第二配線経路４１２ｂが溝で構成されているため、第一配線経路４１２ａ内に第一配線手段６ａを配置した上で、粘着テープ（図示しない）で第一配線経路４１２ａの開放部分を部分的に閉じ、また、第二配線経路４１２ｂ内に第二配線手段６ｂを配置した上で、粘着テープで第二配線経路４１２ｂの開放部分を部分的に閉じることで、これらの配線手段６ａ，６ｂを配線経路４１２ａ，４１２ｂ内に固定するようにしている。
【００４５】
そして、この状態で、第一配線手段６ａ及び第二配線手段６ｂのそれぞれの一端部がコネクタソケット７０の所定位置で起立した状態になってコネクタピン７１を構成し、蓋体４１（天板部４１０）上に雄側コネクタ７が形成されることになる。また、この状態で、各第一配線手段６ａの他端部（端子）６０ａが端子露出部４０４内に位置し、各第二配線手段６ｂの他端部（端子）６０ｂが接続手段露出部４０３内に位置することになる。すなわち、接続手段露出部４０３から露出した接続手段３上に第二配線手段６ｂの他端部（端子）６０ｂが重なり合い、端子露出部４０４から露出した組電池の出力端子Ａ，Ｂに第一配線手段６ａの他端部（端子）６０ａが外嵌された状態になる。
【００４６】
そして、第二配線手段６ｂの他端部（端子）６０ｂを重なり合った接続手段３に対してネジ止めをする。このネジ止めは、例えば、接続手段３にネジ穴を予め穿設しておき、第二配線手段６ｂの端子６０ｂに挿通した小ネジをネジ穴に螺合させるようにしてもよいし、第二配線手段６ｂの端子６０ｂにタッピングビスを挿通し、該タッピングビスを接続手段３に対して直接螺合させるようにしてもよい。本実施形態においては、接続手段３にネジ穴（採番しない）を予め穿設しておき、第二配線手段６ｂの端子６０ｂに挿通した小ネジＳをネジ穴に螺合させるようにしている。なお、組電池の出力端子Ａ，Ｂに対して上述の如く第一配線手段６ａの端子６０ａが外嵌された状態になるが、電池モジュール１が単体の電源として使用される場合には、第一配線手段６ａの端子６０ａは、負荷に接続されたケーブル（図示しない）を組電池の出力端子Ａ，Ｂに対して接続するのに併せて出力端子Ａ，Ｂに螺合されるナット部材で締め付けられて固定され、同種の電池モジュール１を複数接続して電源として使用される場合には、第一配線手段６ａの端子６０ａは、電池モジュール１同士を接続手段３で接続するのに併せて出力端子Ａ，Ｂに螺合されるナット部材で締め付けられて固定される。
【００４７】
しかる後、図５に示す如く、電池監視装置５に取り付けた雌側コネクタ８を蓋体４１上の雄側コネクタ７に対して接続する。これにより、電池監視装置５と複数の単電池２の出力端子２１ａ，２１ｂとが複数の配線手段（第一配線手段６ａ、第二配線手段６ｂ）を介して直接的又は間接的に接続され、電池モジュール１が完成する。
【００４８】
以上のように、本実施形態に係る電池モジュール１は、前記電池監視装置５に前記雄雌一対のコネクタ７，８のうちの雌側コネクタ８が電気的に接続され、前記蓋体４１に前記雄雌一対のコネクタ７，８のうちの雄側コネクタ７のコネクタソケット７０が取り付けられるとともに、前記コネクタソケット７０内の所定位置と各単電池２の出力端子２１ａ，２１ｂに対する接続位置とを結ぶ複数の配線経路４１２ａ，４１２ｂが設定され、各配線手段６ａ，６ｂは対応する配線経路４１２ａ，４１２ｂ内に配置されているため、各配線手段４１２ａ，４１２ｂが接続すべき単電池２の出力端子２１ａ，２１ｂに対する接続位置と雄側コネクタ７を構成するコネクタソケット７０内の所定位置（雌側コネクタ８に設けられた複数の接点のうちの接続すべき接点の配置に対応した位置）とに跨った状態で配置される。従って、上記構成の電池モジュール１は、各配線手段６ａ，６ｂが誤配線されることなく適正な配置とされる。
【００４９】
また、上記構成の電池モジュール１は、コネクタソケット７０内に導入された各配線手段６ａ，６ｂの端部が雄側コネクタ７のコネクタピン７１を構成しているため、各配線手段６ａ，６ｂを配線経路４１２ａ，４１２ｂ内に配置するだけで、各配線手段６ａ，６ｂを電池監視装置５に取り付けられた雌側コネクタ８に対して電気的に接続できる状態となる。従って、上記構成の電池モジュール１は、雄雌一対のコネクタ７，８を接続することで、複数の配線手段６ａ，６ｂと電池監視装置５とを電気的に接続した状態にすることができ、また、雄雌一対のコネクタ７，８の接続を解除することで、電池監視装置５の交換や修理等を行うことができる。
【００５０】
このように、上記構成の電池モジュール１は、コネクタ７、８に設けられた複数のピン又は接点の配置を確認しつつ各配線手段６ａ，６ｂを個別に接続するといった作業を行う必要がないため、配線手段６ａ，６ｂの配線作業にかかる負担を軽減することができる。
【００５１】
また、本実施形態において、各配線経路４１２ａ，４１２ｂは、蓋体４１の上面に形成された溝で構成され、各配線手段６ａ，６ｂは、対応する配線経路４１２ａ，４１２ｂの形態に即した形状に形成され、各配線手段６ａ，６ｂが各溝（配線経路４１２ａ，４１２ｂ）に嵌め込まれているため、配線手段６ａ，６ｂを形態の対応した配線経路４１２ａ，４１２ｂにしか配置できない。従って、各配線手段６ａ，６ｂをコネクタソケット７０内に配置されるべき所定位置（接続すべき雌側コネクタ８の接点と対応した位置）と接続すべき単電池２の出力端子２１ａ，２１ｂに対する接続位置とに跨った状態で確実に配置することができる。従って、各配線手段６ａ，６ｂが接続の対象ではない位置に配置されてしまうことがないため、誤接続を確実に防止することができる。
【００５２】
これにより、本実施形態に係る電池モジュール１によれば、電池監視装置５と単電池２とを接続するための配線手段６ａ，６ｂの配線作業にかかる負担を軽減することができるという優れた効果を奏し得る。
【００５３】
次に、本発明の第二実施形態に係る電池モジュールについて、添付図面を参照しつつ説明する。なお、本実施形態に係る電池モジュールは、第一実施形態の電池モジュールと基本構成が共通しているため、以下の説明において、第一実施形態の電池モジュールと共通する構成又は相当する構成について、同一名称及び同一符号を付すこととする。
【００５４】
本実施形態に係る電池モジュール１は、図６に示す如く、複数の単電池２と、複数の単電池２の出力端子２１ａ，２１ｂ同士を電気的に接続する接続手段３と、前記複数の単電池２を収容するモジュールケース４と、前記複数の単電池２の電気的な監視を行う電池監視装置５と、前記複数の単電池２の出力端子２１ａ，２１ｂに電気的に接続される複数の配線手段６ａ，６ｂとを備えている。
【００５５】
各単電池２は、発電要素（図示しない）を収容した電池ケース２０と、電池ケース２０の外部に配置された一対の出力端子（正極用の出力端子及び負極用の出力端子）２１ａ，２１ｂとを備えている。本実施形態に係る単電池２は、前記電池ケース２０が六面体状（角箱状）に形成されており、該電池ケース２０の外面を構成する六面のうちの一面を上面にしてモジュールケース４内に収容される。
【００５６】
これに伴い、一対の出力端子２１ａ，２１ｂは、電池ケース２０の上面上に所定の間隔をあけて配置されている。各出力端子２１ａ，２１ｂは、棒状に形成されており、電池ケース２０の平面状の上面に対して直角又は略直角をなすように該上面に延設されている。そして、各出力端子２１ａ，２１ｂは、外周に雄ネジが形成されてナットＮが螺合可能になっている。そして、各出力端子２１ａ，２１ｂは、電池ケース２０内に収容された発電要素に対して電気的に接続されており、発電要素から供給される電力を出力できるようになっている。
【００５７】
そして、本実施形態に係る電池モジュール１は、前記複数の単電池２が一列に整列状態で配置されている。より具体的に説明すると、複数の単電池２は、それぞれの出力端子２１ａ，２１ｂが二列で整列し、且つ各列において正極用の出力端子２１ａと負極用の出力端子２１ｂとが交互に並ぶように配置されている。本実施形態に係る電池モジュール１は、整列方向の先頭にある単電池２の一方の出力端子２１ａと整列方向の最後尾にある単電池２の他方の出力端子２１ｂとを除き、隣り合う単電池２の異なる極性の出力端子２１ａ，２１ｂ同士が接続手段３を介して電気的に接続されている。これにより、電池モジュール１は、複数の単電池２が直列接続されて組電池を構成し、整列方向の先頭にある単電池２の一方の出力端子２１ａと整列方向の最後尾にある単電池２の他方の出力端子２１ｂとが組電池の出力端子（正極用の出力端子Ａ、負極用の出力端子Ｂ）を構成している。
【００５８】
前記接続手段３は、隣り合う単電池２の出力端子２１ａ，２１ｂ（極性の異なる出力端子２１ａ，２１ｂ）同士を電気的に接続するもので、導電材料で構成されている。本実施形態にかかる接続手段３は、金属プレートで構成されている。本実施形態に係る接続手段３には、前記出力端子２１ａ，２１ｂを挿通可能な孔径に設定された一対の貫通孔（採番しない）が穿設されている。一対の貫通孔は、隣り合う単電池２の出力端子２１ａ，２１ｂ（同列にある極性の異なる出力端子２１ａ，２１ｂ）の配置に対応した間隔をあけて配置されている。
【００５９】
前記モジュールケース４は、前記複数の単電池２を支持するケース本体４０と、該ケース本体４０に支持された複数の単電池２を覆う蓋体４１とを備えている。
【００６０】
前記ケース本体４０は、一面（例えば、上面）を開放させた箱状に形成されている。すなわち、ケース本体４０は、底板４００と、底板４００の外周から起立した周壁４０１とで構成されている。本実施形態に係るケース本体４０は、底板４００が平面視四角形状に形成されている。これに伴い、前記周壁４０１は、底板４００の外周を構成する四辺のそれぞれから上方に向けて延出した平板状の壁部４０１ａ，４０１ｂ，４０１ｃ，４０１ｄを備えており、隣り合う壁部４０１ａ，４０１ｂ，４０１ｃ，４０１ｄ同士が連結されることで形成されている。これにより、ケース本体４０は、上端に開口部４０２が形成され、該開口部４０２から前記複数の単電池２を収容可能に構成されている。なお、該ケース本体４０は、収容した単電池２の充放電に伴って発生する熱を外部に排出すべく、周壁４０１（壁部４０１ａ，４０１ｂ，４０１ｃ，４０１ｄ）上に内外を連通させる開口を形成してもよい。
【００６１】
前記蓋体４１は、ケース本体４０に収容した複数の単電池２を覆った状態（ケース本体４０の開口部４０２を閉じた状態）で、ケース本体４０に連結できるようになっている。すなわち、モジュールケース４は、蓋体４１とケース本体４０とが連結することで形成される。なお、ケース本体４０と蓋体４１との連結は、例えば、ケース本体４０の周壁４０１の上端部（内周面及び外周面の少なくとも何れか一方）に係止用の爪又は凹部の何れか一方を設け、相手方である蓋体４１の下端部（例えば、後述する起立壁部４１１の下端部）に対してケース本体４０の係止用の爪又は凹部の何れか一方と係合可能な係止用の凹部又は爪を設け、何れか一方の係止用の凹部に対して何れか他方の係止用の爪を係合すればよい。
【００６２】
本実施形態に係る蓋体４１は、図７に示す如く、ケース本体４０の開口部４０２と対応して四角形状に形成された天板部４１０と、該天板部４１０の外周から上方に向けて延出した起立壁部４１１とで構成されている。前記天板部４１０は、ケース本体４０内に収容した複数の単電池２の出力端子２１ａ，２１ｂを露出させる開口部４０３，４０４が形成されている。
【００６３】
より具体的に説明すると、本実施形態に係る電池モジュール１は、整列配置された複数の単電池２の電流の流れ方向の最上流の出力端子２１ａ（組電池の正極用の出力端子Ａ）と、複数の単電池２の電流の流れ方向の最下流の出力端子２１ｂ（組電池の負極用の出力端子Ｂ）とを除き、隣り合う単電池２の出力端子２１ａ，２１ｂ同士が接続手段３で電気的に接続されるため、本実施形態に係る蓋体４１は、前記開口部４０３，４０４として、各接続手段３と対応する複数の接続手段露出部（開口部）４０３と、整列状態にある複数の単電池２の電流の流れ方向の最上流及び最下流の出力端子２１ａ，２１ｂ（組電池の出力端子Ａ，Ｂ）と対応する一対の端子露出部（開口部）４０４とが形成されている。
【００６４】
これにより、本実施形態に係る電池モジュール１は、ケース本体４０に収容した複数の単電池２を蓋体４１で覆った（ケース本体４０に蓋体４１を連結した状態）状態で、各接続手段露出部４０３から接続手段３と該接続手段３によって電気的に接続された出力端子２１ａ，２１ｂが露出するとともに、各端子露出部４０４から組電池の出力端子Ａ，Ｂが露出するようになっている。
【００６５】
そして、本実施形態に係る電池モジュール１は、複数の単電池２に接続された複数の配線手段６ａ，６ｂと電池監視装置５とを雄雌一対のコネクタ７，８を介して電気的に接続するようになっている（図６及び図１１参照）。
【００６６】
これに伴い、本実施形態に係る電池モジュール１は、蓋体４１に前記雄雌一対のコネクタ７，８のうちの雄側コネクタ７のコネクタソケット７０が取り付けられている。本実施形態において、前記コネクタソケット７０は、蓋体４１の天板部４１０の上面に設けられている。該コネクタソケット７０は、天板部４１０上で所定領域（雄側コネクタ７のコネクタピン７１が配置される領域）を取り囲むように形成されている。
【００６７】
より具体的に説明すると、コネクタソケット７０は、配線手段６ａ，６ｂを天板部４１０上で雄側コネクタ７のコネクタピンの配置されるピン配置領域ＰＡと外側領域とに跨った状態で配置可能とすべく、一部を開放させた状態で形成されている。すなわち、コネクタソケット７０は、ピン配置領域ＰＡを取り囲むように天板部４１０上に立設されており、周方向の両端間にピン配置領域ＰＡと外側領域とを連通させた開放部７２を形成している。
【００６８】
そして、蓋体４１は、前記コネクタソケット７０内の所定位置と各単電池２の出力端子２１ａ，２１ｂに対する接続位置とを結ぶ複数の配線経路４１２ａ，４１２ｂが設定されている。すなわち、蓋体４１は、雄側コネクタ７のコネクタピンが挿入される雌側コネクタ８に設けられた図示しない孔に対応した位置であって、雌側コネクタ８の接点に配線手段６ａ，６ｂが接続されるべき位置と、前記出力端子２１ａ，２１ｂに対して直接的又は間接的に接続できる位置とを結んでそれぞれ独立した複数の配線経路４１２ａ，４１２ｂが設定されている。
【００６９】
より具体的に説明すると、本実施形態に係る蓋体４１は、天板部４１０に形成された端子露出部４０４からコネクタソケット７０内の所定位置（雄側コネクタ７のコネクタピン７１が挿入される雌側コネクタ８に設けられた図示しない孔に対応した位置であって、雌側コネクタ８の接点に配線手段６ａ，６ｂが接続されるべき位置）に延びる二つの第一配線経路（配線経路）４１２ａと、天板部４１０に形成された接続手段露出部４０３からコネクタソケット７０内の所定位置（雄側コネクタ７のコネクタピン７１が挿入される雌側コネクタ８に設けられた図示しない孔に対応した位置であって、雌側コネクタ８の接点に配線手段６ａ，６ｂが接続されるべき位置）に延びる複数の第二配線経路（配線経路）４１２ｂとが設定されている。
【００７０】
そして、本実施形態に係る電池モジュール１は、各配線経路４１２ａ，４１２ｂが蓋体４１の天板部４１０の上面に形成された溝で構成されている。また、本実施形態に係る蓋体４１は、図７及び図９（ａ）に示す如く、配線手段４１２ａ，４１２ｂ（第一配線経路４１２ａ及び第二配線経路４１２ｂ）に配線手段６ａ，６ｂ（第一配線手段６ａ及び第二配線手段６ｂ）が脱落するのを防止するための係止爪４１３ａ，４１３ｂが設けられている。各係止爪４１３ａ，４１３ｂは、図９（ａ）に示す如く、配線経路である溝４１２ａ，４１２ｂ（第一配線経路４１２ａ，第二配線経路４１２ｂ）の上部両側に内側に向けて凸設されており、一対の係止爪４１３ａ，４１３ｂ間に配線手段６ａ，６ｂを押し込むことで、配線手段６ａ，６ｂが配線経路（溝）４１２ａ，４１２ｂ内に入り込み、該配線手段６ａ，６ｂが配線経路（溝）４１２ａ，４１２ｂ内で係止爪４１３ａ，４１３ｂに係止されて上側外方に向けて移動することが防止されるようになっている。
【００７１】
図７に戻り、前記起立壁部４１１は、天板部４１０の外周に立設されている。そして、本実施形態に係る起立壁部４１１は、各端子露出部４０４と隣接する部分が切り掛かれている。これにより、同種の電池モジュール１を横並びに配置したときに、隣り合う電池モジュール１（組電池）の出力端子２１ａ，２１ｂ同士を前記接続手段３で接続できるようになっている。すなわち、起立壁部４１１は、隣り合う電池モジュール１（組電池）の出力端子２１ａ，２１ｂ同士を接続する接続手段３が干渉するのを防止できるように部分的に切り掛かれた状態で形成されている。
【００７２】
図６に戻り、前記電池監視装置５は、単電池２の出力端子２１ａ，２１ｂ間の電圧を基に充電状態を監視可能に構成された制御回路基板であり、本実施形態において雌側コネクタ８が取り付けられている。本実施形態に係る電池監視装置５は、単電池２の出力端子２１ａ，２１ｂ間に配置可能なサイズに設定されている。
【００７３】
複数の配線手段６ａ，６ｂのそれぞれは、複数の単電池２の出力端子２１ａ，２１ｂに電気的に接続されている（図１１参照）。本実施形態において、各配線手段６ａ，６ｂは、蓋体４１の天板部４１０上に設定された配線経路４１２ａ，４１２ｂに沿って配置され、前記コネクタソケット７０内に導入された端部が雄側コネクタ７のコネクタピン７１を構成している（図１０（ｂ）参照）。
【００７４】
より具体的に説明すると、本実施形態に係る電池モジュール１は、上述の如く、整列方向の先頭にある単電池２の一方の出力端子２１ａと整列方向の最後尾にある単電池２の他方の出力端子２１ｂとが組電池の正極用及び負極用の出力端子Ａ，Ｂを構成し、隣り合う単電池２の異なる極性の出力端子２１ａ，２１ｂ同士が接続手段３を介して電気的に接続されているため、配線手段６ａ，６ｂとして、コネクタソケット７０の所定位置から組み電池の出力端子Ａ，Ｂにまで延びる一対の第一配線手段６ａと、コネクタソケット７０の所定位置から各接続手段３にまで延びる複数の第二配線手段６ｂとを備えている。
【００７５】
前記第一配線手段６ａ及び第二配線手段６ｂは、対応する配線経路（第一配線経路４１２ａ，第二配線経路４１２ｂ）の形態に即した形状に形成され、配線経路（第一配線経路４１２ａ，第二配線経路４１２ｂ）と構成する各溝に嵌め込まれている（図１１参照）。
【００７６】
前記第一配線手段６ａ及び第二配線手段６ｂは、導電性の高いアルミや銅等の金属材料で構成されている。本実施形態において、第一配線手段６ａ及び第二配線手段６ｂは、金属プレートを対応する配線経路４１２ａ，４１２ｂの平面形状に即して打ち抜くことで形成されており、図８に示す如く、その一端部（コネクタソケット７０内に導入される端部）が折り曲げられている。これにより、第一配線手段６ａ及び第二配線手段６ｂは、対応する第一配線経路４１２ａ及び第二配線経路４１２ｂ（溝）内に配置した状態（上方から溝４１２ａ，４１２ｂに嵌め込んだ状態）で、コネクタソケット７０内（ピン配置領域ＰＡ）と外部領域とに跨って状態になり、また、コネクタソケット７０内の端部が天板部４１０の上面から起立し、雄側コネクタ７のコネクタピン７１を構成するようになっている。
【００７７】
そして、第一配線手段６ａは、第一配線経路４１２ａ内に配置された上で、他端部が端子露出部４０４から露出した組電池の出力端子Ａ，Ｂに接続される。これに伴い、第一配線手段６ａの他端部には、組電池の出力端子Ａ，Ｂに接続可能（外嵌可能）な端子（図においては丸端子）６０ａが取り付けられている。
【００７８】
これに対し、第二配線手段６ｂは、第二配線経路４１２ｂ内に配置された上で、他端部が接続手段露出部４０３から露出した接続手段３に接続される。本実施形態に係る第二配線手段６ｂは、他端部に弾性構造６０ｂ’を有し、前記弾性構造６０ｂ’が前記接続手段３に圧接して電気的に接続されるようになっている。具体的には、各第二配線手段６ｂの他端部には、弾性構造としてのコイルバネ６０ｂ’が設けられている。該コイルバネ６０ｂ’は、ケース本体４０に対する蓋体４１の連結方向（第二配線経路４１２ｂに対する嵌込方向）と同方向に弾性変形可能に構成されている。
【００７９】
本実施形態に係る電池モジュール１は、以上の通りであり、続いて、上記構成の電池モジュール１の組み立てについて説明すると、ケース本体４０内に複数の単電池２を収容し、該複数の単電池２の出力端子２１ａ，２１ｂ同士を接続手段３によって電気的に接続する。そして、図１０（ａ）に示す如く、ケース本体４０の開口部４０２を蓋体４１で塞ぎ、蓋体４１をケース本体４０に連結する。この状態で、ケース本体４０内の単電池２が蓋体４１に覆われ、接続手段３が接続手段露出部４０３から露出するとともに、組電池の出力端子Ａ，Ｂが端子露出部４０４から露出した状態になる。
【００８０】
そして、図１０（ｂ）に示す如く、各第一配線手段６ａを各第一配線経路（溝）４１２ａ内に配置するとともに、各第二配線手段６ｂを各第二配線経路（溝）４１２ｂ内に配置する。本実施形態に係る電池モジュール１は、第一配線経路４１２ａ及び第二配線経路４１２ｂの上部に係止爪４１３ａ，４１３ｂが設けられているため、第一配線手段６ａは第一配線経路４１２ａ内に押し込まれることで係止爪４１３ａ，４１３ｂに係止されて第一配線経路４１２ａ内で固定され、第二配線手段６ｂは第二配線経路４１２ｂ内に押し込まれることで係止爪４１３ａ，４１３ｂに係止されて第二配線経路４１２ｂ内で固定される（図９（ａ）参照）。
【００８１】
そして、この状態で、第一配線手段６ａ及び第二配線手段６ｂのそれぞれの一端部がコネクタソケット７０の所定位置で起立した状態になってコネクタピン７１を構成し、蓋体４１（天板部４１０）上に雄側コネクタ７が形成されることになる。また、この状態で、各第一配線手段６ａの他端部（端子）６０ａが端子露出部４０４内に位置し、各第二配線手段６ｂの他端部（弾性構造）６０ｂ’が接続手段露出部４０３内に位置することになる。すなわち、第二配線手段６ｂの他端部（弾性構造）６０ｂ’は、図９（ｂ）に示す如く、接続手段露出部４０３から露出した接続手段３に対して自己の弾性力で圧接して電気的に接続されるとともに、第一配線手段６ａの他端部（端子）６０ａは、図１０に示す如く、端子露出部４０４から露出した組電池の出力端子Ａ，Ｂに外嵌された状態になる。
【００８２】
なお、組電池の出力端子Ａ，Ｂに対して上述の如く第一配線手段６ａの端子６０ａが外嵌された状態になるが、電池モジュール１が単体の電源として使用される場合には、第一配線手段６ａの端子６０ａは、負荷に接続されたケーブル（図示しない）を組電池の出力端子Ａ，Ｂに対して接続するのに併せて出力端子Ａ，Ｂに螺合されるナット部材で締め付けられて固定され、同種の電池モジュール１を複数接続して電源として使用される場合には、第一配線手段６ａの端子６０ａは、電池モジュール１同士を接続手段３で接続するのに併せて出力端子Ａ，Ｂに螺合されるナット部材で締め付けられて固定される。
【００８３】
しかる後、図１１に示す如く、電池監視装置５に取り付けた雌側コネクタ８を蓋体４１上の雄側コネクタ７に対して接続する。これにより、電池監視装置５と複数の単電池２の出力端子２１ａ，２１ｂとが複数の配線手段（第一配線手段６ａ、第二配線手段６ｂ）を介して直接的又は間接的に接続され、電池モジュール１が完成する。
【００８４】
以上のように、本実施形態に係る電池モジュール１は、前記電池監視装置５に前記雄雌一対のコネクタ７，８のうちの雌側コネクタ８が電気的に接続され、前記蓋体４１に前記雄雌一対のコネクタ７，８のうちの雄側コネクタ７のコネクタソケット７０が取り付けられるとともに、前記コネクタソケット７０内の所定位置と各単電池２の出力端子２１ａ，２１ｂに対する接続位置とを結ぶ複数の配線経路４１２ａ，４１２ｂが設定され、各配線手段６ａ，６ｂは対応する配線経路４１２ａ，４１２ｂ内に配置されているため、各配線手段４１２ａ，４１２ｂが接続すべき単電池２の出力端子２１ａ，２１ｂに対する接続位置と雄側コネクタ７を構成するコネクタソケット７０内の所定位置（雌側コネクタ８に設けられた複数の接点のうちの接続すべき接点の配置に対応した位置）とに跨った状態で配置される。従って、上記構成の電池モジュール１は、各配線手段６ａ，６ｂが誤配線されることなく適正な配置とされる。
【００８５】
また、上記構成の電池モジュール１は、コネクタソケット７０内に導入された各配線手段６ａ，６ｂの端部が雄側コネクタ７のコネクタピン７１を構成しているため、各配線手段６ａ，６ｂを配線経路４１２ａ，４１２ｂ内に配置するだけで、各配線手段６ａ，６ｂを電池監視装置５に取り付けられた雌側コネクタ８に対して電気的に接続できる状態となる。従って、上記構成の電池モジュール１は、雄雌一対のコネクタ７，８を接続することで、複数の配線手段６ａ，６ｂと電池監視装置５とを電気的に接続した状態にすることができ、また、雄雌一対のコネクタ７，８の接続を解除することで、電池監視装置５の交換や修理等を行うことができる。
【００８６】
このように、上記構成の電池モジュール１は、コネクタ７、８に設けられた複数のピン又は接点の配置を確認しつつ各配線手段６ａ，６ｂを個別に接続するといった作業を行う必要がないため、配線手段６ａ，６ｂの配線作業にかかる負担を軽減することができる。
【００８７】
また、本実施形態において、各配線経路４１２ａ，４１２ｂは、蓋体４１の上面に形成された溝で構成され、各配線手段６ａ，６ｂは、対応する配線経路４１２ａ，４１２ｂの形態に即した形状に形成され、各配線手段６ａ，６ｂが各溝（配線経路４１２ａ，４１２ｂ）に嵌め込まれているため、配線手段６ａ，６ｂを形態の対応した配線経路４１２ａ，４１２ｂにしか配置できない。従って、各配線手段６ａ，６ｂをコネクタソケット７０内に配置されるべき所定位置（接続すべき雌側コネクタ８の接点と対応した位置）と接続すべき単電池２の出力端子２１ａ，２１ｂに対する接続位置とに跨った状態で確実に配置することができる。従って、各配線手段６ａ，６ｂが接続の対象ではない位置に配置されてしまうことがないため、誤接続を確実に防止することができる。
【００８８】
さらに言えば、本実施形態に係る電池モジュール１は、前記配線手段６ｂの端部が弾性構造６０ｂ’を有し、前記弾性構造６０ｂ’が前記接続手段３に圧接して電気的に接続されているため、配線手段６ｂに対して丸端子等の接続端子を取り付けてネジ止め等を行うことなく各配線手段６ｂを接続手段３に対して電気的に接続することができ、配線手段６ｂの配線作業にかかる負担を軽減することができる。
【００８９】
これにより、本実施形態に係る電池モジュール１によれば、電池監視装置５と単電池２とを接続するための配線手段６ａ，６ｂの配線作業にかかる負担を軽減することができるという優れた効果を奏し得る。
【００９０】
なお、本発明に係る電池モジュールは、上記各実施形態の何れにも限定されるものではなく、本発明の要旨を逸脱しない範囲で適宜変更可能である。
【００９１】
上記第一及び第二実施形態において、複数の単電池２を収容したケース本体４０の開口部４０２を蓋体４１で閉じた後に、複数の配線手段６ａ，６ｂのそれぞれを配線経路４１２ａ，４１２ｂに沿って配置するようにしたが、これに限定されるものではなく、例えば、蓋体４１に設定された複数の配線系と４１２ａ，４１２ｂに沿って配線手段６ａ，６ｂを配置した後に、該蓋体４１でケース本体４０の開口部４０２を閉じる（単電池２を覆う）ようにしてもよい。また、上記第一及び第二実施形態において、ケース本体４０に単電池２を収容した上で各単電池２を接続手段３で接続し、その後に蓋体４１で単電池２を覆うようにしたが、これに限定されるものではなく、例えば、複数の単電池２をそれぞれ独立した状態でケース本体４０に収容して蓋体４１で該単電池２を覆い、その後に、接続手段露出部４０３から露出した出力端子２１ａ，２１ｂ同士を接続手段３で接続するようにしてもよい。
【００９２】
上記第一及び第二実施形態において、蓋体４１の天板部４１０の上面に複数の溝を設け、該溝で配線手段６ａ，６ｂを配置する配線経路４１２ａ，４１２ｂを構成したが、これに限定されるものではなく、例えば、複数の配線経路４１２ａ，４１２ｂとして蓋体４１の天板部４１０の面に沿った複数の連通孔を穿設しておき、この連通孔（配線経路４１２ａ，４１２ｂ）に配線手段（例えばリード線）６ａ，６ｂを挿通して配線するようにしてもよい。また、天板部４１０上に配線手段６ａ，６ｂを配置する配線経路４１２ａ，４１２ｂを印刷しておき、配線手段６ａ，６ｂを該印刷（配線経路）４１２ａ，４１２ｂに沿わせて配置するようにしてもよい。このようにしても、複数の配線手段６ａ，６ｂの配置が明らかになるため、誤接続を防止することができる。
【００９３】
上記第一及び第二実施形態において、金属プレートを対応する配線経路４１２ａ，４１２ｂの平面形状に即して打ち抜くことで配線手段６ａ，６ｂを形成した（打ち抜き加工で配線手段６ａ，６ｂを作製した）が、これに限定されるものではなく、例えば、強度のある金属製の棒材を曲げ加工することで、対応する配線経路４１２ａ，４１２ｂの平面形状に即した配線手段６ａ，６ｂを作製するようにしてもよい。すなわち、配線手段６ａ，６ｂは、対応する配線経路４１２ａ，４１２ｂの平面形状に即した形状になるように、コネクタソケット７０内に導入される端部以外の部分についても曲げ加工された金属製の棒材で構成してもよい。
【００９４】
また、上記第一実施形態において、配線経路４１２ａ，４１２ｂを溝で構成し、該配線経路４１２ａ，４１２ｂ内に配線手段６ａ，６ｂを配置した上で溝の開放した部分を粘着テープで部分的に閉じることで、配線手段６ａ，６ｂの脱落を防止するようにしたが、これに限定されるものではなく、例えば、第二実施形態と同様に溝４１２ａ，４１２ｂの上部両側に係止爪４１３ａ，４１３ｂを設けるようにしてもよい。
【００９５】
また、上記第一実施形態において、粘着テープで配線経路４１２ａ，４１２ｂ内の配線手段６ａ，６ｂを固定し、上記第二実施形態において、配線経路４１２の上部に設けた係止爪４１３ａ，４１３ｂで配線手段６ａ，６ｂを固定したが、配線手段６ａ，６ｂの固定は、係止爪４１３ａ，４１３ｂや粘着テープによるものに限定されず、例えば、配線手段６ａ，６ｂを蓋体４１（天板部４１０）上に配置し、該配線手段６ａ，６ｂ上に押さえ部材（例えば、板状の押さえ板等）を配置して蓋体４１に固定しても勿論よい。また、配線手段６ａ，６ｂの固定は、全長に対して行う必要はなく、部分的に固定するようにしてもよい。
【００９６】
上記第二実施形態において、配線手段６ａ，６ｂの一端部で雄側コネクタ７のコネクタピン７１を構成したが、例えば、配線手段６ａ，６ｂの他端部に弾性構造６０ｂ’を設けた場合には、配線手段６ａ，６ｂの他端部に対して独立した雄側コネクタ７を設けてもよい。すなわち、配線手段６ａ，６ｂの他端部に対して弾性構造６０ｂ’を設ければ、接続手段３に対する配線作業が簡略化できるため、これだけでも作業効率が向上する。但し、より作業効率を高めるには、第二実施形態と同様にすることが好ましいことは言うまでもない。また、第一実施形態においても、第二実施形態と同様に第二配線手段６ｂの他端部に弾性構造（コイルバネ）６０ｂ’を設ければ、組み立て時の配線作業の作業効率をより向上させることができることは言うまでもない。
【００９７】
上記第二実施形態において、第二配線手段６ｂの他端部にコイルバネからなる弾性構造６０ｂ’を設けたが、弾性構造６０ｂ’はコイルバネに限定されるものではなく、例えば、板バネで構成してもよい。また、弾性構造６０ｂ’はバネに限定されるものではなく、例えば、導電性フィラーを含有したゴム素材であってもよい。すなわち、弾性構造６０ｂ’は、導電性を有し、且つ第二配線手段６ｂが単電池２を覆った蓋体４１に固定されることで、接続手段露出部４０３から露出した接続手段３に圧接可能な構成であればよい。
【符号の説明】
【００９８】
１…電池モジュール、２…単電池、３…接続手段、４…モジュールケース、５…電池監視装置、６ａ…第一配線手段（配線手段）、６ｂ…第二配線手段（配線手段）、７…雄側コネクタ（コネクタ）、８…雌側コネクタ（コネクタ）、２０…電池ケース、２１ａ，２１ｂ…出力端子、４０…ケース本体、４１…蓋体、６０ａ…端部（端子）、６０ｂ…端部（端子）、６０ｂ’…端部（弾性構造（コイルバネ））、７０…コネクタソケット、４００…底板、４０１…周壁、４０１ａ，４０１ｂ，４０１ｃ，４０１ｄ…壁部、４０２…開口部、４０３…接続手段露出部（開口部）、４０４…端子露出部（開口部）、４１０…天板部、４１１…起立壁部、４１２ａ…第一配線経路（配線経路：溝）、４１２ｂ…第二配線経路（配線経路：溝）、４１３ａ，４１３ｂ…係止爪、７２…開放部、Ａ，Ｂ…出力端子、Ｎ…ナット、ＰＡ…ピン配置領域
【図１】
2012174507.tif 000003
【図２】
2012174507.tif 000004
【図３】
2012174507.tif 000005
【図４】
2012174507.tif 000006
【図５】
2012174507.tif 000007
【図６】
2012174507.tif 000008
【図７】
2012174507.tif 000009
【図８】
2012174507.tif 000010
【図９】
2012174507.tif 000011
【図１０】
2012174507.tif 000012
【図１１】
2012174507.tif 000013